(57)【要約】【課題】  洗浄液の高い噴射圧がワークに付与されてもワークの不用意な移動を防止又は効果的に抑制できる洗浄装置を得る。【解決手段】  本洗浄装置１０では、一対のノズル５８、６０が互いに対向配置されており、一対のノズル６６、６８が互いに対向配置されている。さらに、一対のノズル７６、７８が互いに対向配置されている。このため、例えば、ノズル５８からの噴射圧がワーク５２に付与されると共に、ノズル６０からの噴射圧がワーク５２に付与されると、ノズル５８、６０の各噴射圧が互いに相殺される。これにより、ノズル５８、６０の噴射圧ワーク５２に付与されることに起因するワーク５２の移動を防止又は効果的に抑制できる。【選択図】    図１
2006167663.tif 000002
【特許請求の範囲】
【請求項１】
ワークの外方から洗浄液を噴きかけて前記ワークを洗浄する洗浄装置であって、
前記ワークを介して互いに対向して配置され、各々が前記ワークへ向けて前記洗浄液を噴射すると共に、一方が前記ワークに対して前記洗浄液を噴きかけた際に前記ワークに付与される噴射圧の少なくとも一部を、他方が前記ワークに対して前記洗浄液を噴きかけた際に前記ワークに付与される噴射圧により相殺する一対の噴射手段と、
前記一対の噴射手段の各々が接続され、前記一対の噴射手段の各々に所定の圧力で前記洗浄液を供給する供給手段と、
を備えることを特徴とする洗浄装置。
【請求項２】
前記一対の噴射手段を複数組設けると共に、各々の組において対を成す前記噴射手段の対向方向を互いに交差させ、更に、前記複数組の噴射手段の全てを１つの前記供給手段に接続すると共に、前記複数組の噴射手段の何れか１組にのみ前記供給手段からの前記洗浄液を供給し、他の組の前記噴射手段に対する前記洗浄液の供給を停止する切替手段を設けた、
ことを特徴とする請求項１に記載の洗浄装置。
【発明の詳細な説明】
【技術分野】
【０００１】
本発明は、ワークに洗浄液を噴きかけてワークを洗浄するための洗浄装置に関する。
【背景技術】
【０００２】
例えば、下記特許文献１に開示されている洗浄装置は洗浄室を備えている。洗浄室の内側には回転テーブルが設けられており、モータ等の駆動手段によって回転テーブルが回転する構造になっている。回転テーブル上にはワークがセットされ、回転テーブルと共にワークが回転する。
【０００３】
また、洗浄室内には複数のノズルが設けられている。複数のノズルの一部からは温水が霧状に噴射され、他のノズルからは洗浄水がシャワー状に噴出される。このようにしてノズルから噴射された洗浄水及び霧状の温水は、回転テーブルと共に回転するワークに噴きつけられ、これにより、ワーク加工時にワークに付着した切子等がワークから除去される。
【特許文献１】特開平６−１４２６２３号公報
【発明の開示】
【発明が解決しようとする課題】
【０００４】
ここで、上記の特許文献１に開示された洗浄装置では、回転テーブル上に直接又は回転テーブル上に載置された皿状部材上にワークを載置する構造であるため、ワークの回転テーブル側の部分の洗浄ができないと言う問題がある。
【０００５】
このような問題に対しては、例えば、ワークを吊り上げ装置で吊り上げた状態で支持し、あらゆる方向から洗浄液をワークに噴きかけることで解消できる。しかしながら、このように無造作にあらゆる方向から洗浄液を噴きかけると洗浄液がワークに付与する噴射圧でワークが動き、場合によってはワークが吊り上げ装置から落下してしまう可能性がある。
【０００６】
本発明は、上記事実を考慮して、洗浄液の高い噴射圧がワークに付与されてもワークの不用意な移動を防止又は効果的に抑制できる洗浄装置を得ることが目的である。
【課題を解決するための手段】
【０００７】
請求項１に記載の本発明に係る洗浄装置は、ワークの外方から洗浄液を噴きかけて前記ワークを洗浄する洗浄装置であって、前記ワークを介して互いに対向して配置され、各々が前記ワークへ向けて前記洗浄液を噴射すると共に、一方が前記ワークに対して前記洗浄液を噴きかけた際に前記ワークに付与される噴射圧の少なくとも一部を、他方が前記ワークに対して前記洗浄液を噴きかけた際に前記ワークに付与される噴射圧により相殺する一対の噴射手段と、前記一対の噴射手段の各々が接続され、前記一対の噴射手段の各々に所定の圧力で前記洗浄液を供給する供給手段と、を備えることを特徴としている。
【０００８】
請求項１に記載の洗浄装置では、供給手段から所定の圧力で一対の噴射手段の各々に洗浄液が供給されると、噴射手段の各々から前記所定の圧力に応じた噴射圧で洗浄液が噴射され、この洗浄液がワークに噴きかけられることでワークが洗浄液により洗浄される。
【０００９】
ここで、本発明に係る洗浄装置では、一対の噴射手段がワークを介して互いに対向して配置される。したがって、一対の噴射手段の一方から噴射された洗浄液がワークに付与する噴射圧の向きに対し、一対の噴射手段の他方から噴射された洗浄液がワークに付与する噴射圧の向きは概ね反対方向になる。
【００１０】
したがって、一対の噴射手段の一方から噴射された洗浄液がワークに付与する噴射圧の少なくとも一部は、一対の噴射手段の他方から噴射された洗浄液がワークに付与する噴射圧により相殺される。
【００１１】
これにより、洗浄液の噴射圧をワークが受けることに起因するワークの不用意な移動が防止又は効果的に抑制され、ワークを強固に支持又は保持しなくても、予め定められた所定の洗浄位置、又は、この洗浄位置の極近傍でワークを洗浄できる。
【００１２】
請求項２に記載の本発明に係る洗浄装置は、請求項１に記載の本発明において、前記一対の噴射手段を複数組設けると共に、各々の組において対を成す前記噴射手段の対向方向を互いに交差させ、更に、前記複数組の噴射手段の全てを１つの前記供給手段に接続すると共に、前記複数組の噴射手段の何れか１組にのみ前記供給手段からの前記洗浄液を供給し、他の組の前記噴射手段に対する前記洗浄液の供給を停止する切替手段を設けた、ことを特徴としている。
【００１３】
請求項２に記載の洗浄装置では、一対の噴射手段が複数組設けられており、しかも、各組の一対の噴射手段の対向方向が互いに交差している。このため、立体的な方向から洗浄液をワークに噴きかけることができ、効果的にワークを洗浄できる。
【００１４】
ここで、本発明に係る洗浄装置では、全ての組の噴射手段が１つの供給手段に接続されているが、切替手段によって何れか１組の噴射手段に洗浄液が供給されている状態では、他の組の噴射手段に対する洗浄液の供給が停止される。
【００１５】
このため、供給手段が洗浄液を供給する際の圧力が各組の噴射手段に分散されない。これにより、供給手段が洗浄液を供給する際の圧力と同等の圧力で噴射手段から洗浄液を噴射でき、このように比較的高い噴射圧で洗浄液をワークに噴きかけることで、より高い洗浄効果を得ることができる。
【発明の効果】
【００１６】
以上説明したように、本発明に係る洗浄装置では、洗浄液の高い噴射圧がワークに付与されても、相反する方向からの噴射圧がワークに付与されるため、ワークの不用意な移動を防止又は効果的に抑制できる。
【発明を実施するための最良の形態】
【００１７】
＜本実施の形態の構成＞
（洗浄装置１０の全体構成の概略）
図３には本発明の一実施の形態に係る洗浄装置１０の構成が正面図により示されており、図４には本洗浄装置１０の構成が側面図により示されている。
【００１８】
先ず、これらの図に基づいて本洗浄装置１０の全体構成の概略について説明する。
【００１９】
図３及び図４に示されるように、本洗浄装置１０は略箱形状のクリーンタンク１２を備えている。クリーンタンク１２には洗浄液が貯留されている。また、図３に示されるように、クリーンタンク１２の下端部近傍には配管１４が設けられている。
【００２０】
配管１４の一端はクリーンタンク１２の内部に連通しており、他端は配管１４を介してクリーンタンク１２とは反対側に設けられた供給手段としてのポンプ１６の吸入部に接続されている。ポンプ１６の吐出部には配管１８の一端が接続されている。配管１８は本洗浄装置１０の下方へ向けて開口した凹形状に屈曲されており、更に、その一端側は略水平に屈曲されてポンプ１６の吐出部に接続されている。配管１８の他端部は、後に詳細に説明する切替手段としての電磁弁２０を介して洗浄部２２に接続されている。
【００２１】
一方、クリーンタンク１２の裏側にはダーティタンク２４が設けられている。ダーティタンク２４は洗浄部２２の下方に設けられており、ロート状の配管２６を介して洗浄部２２に連通している。
【００２２】
また、ポンプ１６の裏側にはポンプ２８が設けられている。ポンプ２８の吸入部は図示しない配管を介してダーティタンク２４の下端側に連通している。また、ポンプ２８の上側にはバッグフィルタ３０が設けられており、バッグフィルタ３０の入口が配管３２を介してポンプ２８の吐出部に接続されている。
【００２３】
バッグフィルタ３０の側方にはバッグフィルタ３４が設けられており、バッグフィルタ３０の出口とバッグフィルタ３４の入口とが配管３６によって接続されている。これらのバッグフィルタ３０、３４の内側にはそれぞれ異なるフィルタ部材が収容されており、バッグフィルタ３０に供給された洗浄液はバッグフィルタ３０のフィルタ部材により濾過された後に、更に、バッグフィルタ３４に供給されてバッグフィルタ３４のフィルタ部材により更に濾過される。
【００２４】
バッグフィルタ３４の下側には上記のクリーンタンク１２が設けられている。クリーンタンク１２の上端とバッグフィルタ３４の出口とは配管３８により接続され、バッグフィルタ３０、３４にて濾過された洗浄液がクリーンタンク１２に貯留される構造になっている。
【００２５】
（洗浄部２２の構成）
次に、洗浄部２２の構成について説明する。図３及び図４に示されるように、洗浄部２２は略箱状で防爆性能を有する隔壁４０を備えている。隔壁４０の内側には、図１に示されるように、略円板状の回転テーブル４２が設けられている。
【００２６】
回転テーブル４２は図示しないモータ等の駆動手段に直接又は減速ギヤ列等の減速手段を介して機械的に連結されており、駆動手段の駆動力によって自らの中心周りに回転する。
【００２７】
また、回転テーブル４２には、支持脚４４が回転テーブル４２の回転中心周りに複数（図１では１個のみを図示している）設けられている。支持脚４４は下端部が回転テーブル４２に固定された脚本体４６を備えている。脚本体４６の上端からは、回転テーブル４２の回転半径方向外方へ向けて長手方向とされた細幅板状の支持片５０の一端が固定されている。支持片５０の先端には略Ｕ字状に湾曲したフック５１の一端が固定され、このフック５１の他端にワーク５２が支持されている。
【００２８】
また、脚本体４６よりも回転テーブル４２の半径方向外方側には、扇形状の窓部５４が回転テーブル４２の中心周りに一定角度毎に形成されており、これらの窓部５４の間では回転テーブル４２上に隔壁５６が立設されている。
【００２９】
一方、図１に示されるように、回転テーブル４２の上側には噴射手段としてのノズル５８が設けられている。ノズル５８は、本洗浄装置１０の上下方向（図１で言うところの回転テーブル４２の厚さ方向）に沿った下側へ向けてノズル５８に供給された洗浄液を噴射できる構造になっている。
【００３０】
一方、本洗浄装置１０の上下方向に沿って回転テーブル４２を介したノズル５８の反対側には、ノズル５８と対を成す噴射手段としてのノズル６０がノズル５８に対向して設けられている。ノズル６０は、本洗浄装置１０の上下方向に沿った上側、すなわち、ノズル５８へ向けて供給された洗浄液を噴射できる構造になっている。
【００３１】
また、図２に示されるように、上記のノズル５８は配管６２の一端に接続されており、ノズル６０は配管６４の一端に接続されている。配管６２と配管６４とは各々の他端側に連通しており、更に、配管６２、６４の他端部は電磁弁２０に接続されている。
【００３２】
一方、回転テーブル４２の側方には、噴射手段としてノズル６６が設けられている。ノズル６６は、回転テーブル４２の回転中心側へ向けて洗浄液を噴射できる構造になっている。また、回転テーブル４２の中心近傍には、ノズル６６と対を成す噴射手段としてのノズル６６に対向してノズル６８が設けられている。ノズル６８は、回転テーブル４２の回転半径方向外方、すなわち、ノズル６６へ向けて洗浄液を噴射できる構造になっている。
【００３３】
ここで、図１に示されるように、ノズル６６とノズル６８との略中間部は上記のノズル５８とノズル６６との間の中間部に重なり合う。
【００３４】
また、図２に示されるように、上記のノズル６６は配管７０の一端に接続されており、ノズル６８は回転テーブル４２の中央に形成された円孔７４（図１参照）を通過した配管７２の一端に接続されている。配管７０と配管７２とは各々の他端側に連通しており、更に、配管７０、７２の他端部は電磁弁２０に接続されている。
【００３５】
一方、図１に示されるように、上記のノズル６６とノズル６８との略中間部とノズル５８とノズル６６との間の中間部との交差位置から、ノズル６６とノズル６８との対向方向及びノズル５８とノズル６６との対向方向の双方に対して直交する一方の側における回転テーブル４２の外側には、噴射手段としてのノズル７６が設けられている。
【００３６】
ノズル７６は上記のノズル６６とノズル６８との略中間部とノズル５８とノズル６６との間の中間部との交差位置へ向けて洗浄液を噴射できる構造になっている。
【００３７】
また、ノズル６６とノズル６８との略中間部とノズル５８とノズル６６との間の中間部との交差位置を介してノズル７６とは反対側には、ノズル７６と対を成す噴射手段としてのノズル７８が設けられている。
【００３８】
ノズル７８は、ノズル７６とは反対側からノズル６６とノズル６８との略中間部とノズル５８とノズル６６との間の中間部との交差位置へ向けて洗浄液を噴射できる構造になっている。
【００３９】
また、図２に示されるように、上記のノズル７６は配管８０の一端に接続されており、ノズル７８は配管８２の一端に接続されている。配管８０と配管８２とは各々の他端側に連通しており、更に、配管８０、８２の他端部は電磁弁２０に接続されている。
【００４０】
電磁弁２０は１つの入口と３つの出口を有している。これらの出口の１つには配管６２、６４の他端が接続されており、別の１つには配管７０、７２の他端が接続されている。さらに、これらの他の１つの出口には配管８０、８２の他端が接続されており、電磁弁２０の図示しない弁体は、電磁弁２０の入口と３つの出口の何れか１とを連通し、他の２つと入口との間を遮断できる構造になっている。
【００４１】
＜本実施の形態の作用、効果＞
次に、本洗浄装置１０の動作の説明を介して本洗浄装置１０の作用並びに効果について説明する。
【００４２】
本洗浄装置１０では、フック５１にワーク５２が支持された状態で回転テーブル４２が回転する。回転テーブル４２が回転して窓部５４がノズル６０の上側に位置してワーク５２が窓部５４を介してノズル６０に対向すると回転テーブル４２が停止させられる。
【００４３】
次いで、電磁弁２０の弁体が電磁弁２０の入口と、配管７０、７２の他端に接続された電磁弁２０の出口とを連通させ、この状態で、ポンプ１６が作動する。ポンプ１６は所定の圧力でクリーンタンク１２内の洗浄液を配管１８に供給する。配管１８に供給された洗浄液は配管１８及び電磁弁２０を介して配管７０、７２に供給される。配管７０と配管７２とは他端側にて互いに連通されているため、ポンプ１６の供給圧が概ね二分された状態で洗浄液が配管７０、７２を通過する。
【００４４】
配管７０を通過した洗浄液はノズル６６に供給され、ノズル６６に対して回転テーブル４２の半径方向内方側に位置するワーク５２へ向けて洗浄液を噴射する。これに対して、配管７２を通過した洗浄液はノズル６８に供給され、ノズル６８に対して回転テーブル４２の半径方向外方側に位置するワーク５２へ向けて洗浄液を噴射する。
【００４５】
このように、先ず、ノズル６８、７０から噴射された洗浄液がワーク５２に噴きかけられる。
【００４６】
次いで、ノズル６８、７０からの一定時間の洗浄液の噴射が終了すると、電磁弁２０の弁体は、電磁弁２０の入口と配管８０、８２の他端が接続された電磁弁２０の出口とを連通させる。これにより、洗浄液が配管８０、８２に供給される。
【００４７】
この配管８０、８２もまた他端側にて互いに連通されているため、ポンプ１６の供給圧が概ね二分された状態で洗浄液が配管８０、８２を通過する。
【００４８】
配管８０を通過した洗浄液はノズル７６に供給され、ノズル７６とノズル７８との間に位置するワーク５２へ向けて洗浄液を噴射する。これに対して、配管８２を通過した洗浄液はノズル７８に供給され、ノズル７８に対してノズル７６とノズル７８との間に位置するワーク５２へ向けて洗浄液を噴射する。
【００４９】
これにより、ノズル７８、８０から噴射された洗浄液がワーク５２に噴きかけられる。
【００５０】
次いで、ノズル７８、８０からの一定時間の洗浄液の噴射が終了すると、電磁弁２０の弁体は、電磁弁２０の入口と配管６２、６４の他端が接続された電磁弁２０の出口とを連通させる。これにより、洗浄液が配管６２、６４に供給される。
【００５１】
この配管６２、６４もまた他端側にて互いに連通されているため、ポンプ１６の供給圧が概ね二分された状態で洗浄液が配管６２、６４を通過する。
【００５２】
配管６２を通過した洗浄液はノズル５８に供給され、ノズル５８の下方に位置するワーク５２へ向けて洗浄液を噴射する。これに対して、配管６４を通過した洗浄液はノズル６０に供給され、窓部５４を介してノズル６０の上側でノズル６０に対向するワーク５２へ向けて洗浄液を噴射する。
【００５３】
このように、本洗浄装置１０では、ノズル５８、６０、６６、６８、７６、７８より、三次元的な方向からワーク５２に対して洗浄液を噴きかけるため、ワーク５２の外周面の全域に対して確実に洗浄液を噴きかけることができる。このため、ワーク５２の外周部にワーク５２の加工時に付着した切子等の異物を洗浄液で確実に洗い落とすことができる。
【００５４】
また、本洗浄装置１０では、互いに対を成すノズル５８、６０が互いに対向している。例えば、ノズル５８から噴射された洗浄液からの噴射圧をワーク５２が受けると、ワーク５２はノズル５８とは反対側に押圧されて移動しようとする。しかしながら、ノズル５８から洗浄液が噴射されている状態では、ノズル６０からも洗浄液が噴射されており、この洗浄液の噴射圧をワーク５２が受ける。
【００５５】
ここで、ノズル５８からの洗浄液の噴射方向とノズル６０からの洗浄液の噴射方向とは相反するため、ノズル５８からの洗浄液の噴射圧はノズル６０からの洗浄液の噴射圧により相殺される。
【００５６】
しかも、上記のように、配管６２と配管６４にはポンプ１６の供給圧が概ね二分された状態で洗浄液が通過するため、ノズル５８、６０の各々から噴射される洗浄液の噴射圧は概ね等しくなるか、その差が小さくなる。
【００５７】
これにより、ノズル５８、６０の双方からの洗浄液の噴射圧をワーク５２が受けることで、ワーク５２の不用意な移動が防止又は軽減される。これにより、ワーク５２を強固に保持しなくてもフック５１からのワーク５２の脱落を防止できる。
【００５８】
また、上記のように、互いに対を成すノズル６６、６８、及び、互いに対を成すノズル７６、７８に関しても、ノズル５８、６０と同様の作用を奏し、同様の効果を得ることができる。
【００５９】
さらに、本洗浄装置１０では、上記のように電磁弁２０は入口と３つの出口の何れか１とを連通し、他の２つと入口との間を遮断できる構造になっている。このため、配管６２、６４、６８、７０、８０、８２のうち、電磁弁２０の入口に連通していないものに対してはポンプ１６の供給圧が分散されない。このため、配管６２、６４、６８、７０、８０、８２の全てにポンプ１６の供給圧が分散された場合に比べて高い圧力でノズル５８、６０、６６、６８、７６、７８の何れか１組から洗浄液を噴射でき、これによっても、ワーク５２の外周部に付着した切子等の異物を洗浄液で確実に洗い落とすことができる。
【図面の簡単な説明】
【００６０】
【図１】本発明の一実施の形態に係る洗浄装置の要部の構成を示す斜視図である。
【図２】本発明の一実施の形態に係る洗浄装置の各噴射手段に対する洗浄液の供給経路の概略を示す図である。
【図３】本発明の一実施の形態に係る洗浄装置の全体構成の概略を示す正面図である。
【図４】本発明の一実施の形態に係る洗浄装置の全体構成の概略を示す側面図である。
【符号の説明】
【００６１】
１０    洗浄装置
１６    ポンプ（供給手段）
２０    電磁弁（切替手段）
５２    ワーク
５８    ノズル（噴射手段）
６０    ノズル（噴射手段）
６６    ノズル（噴射手段）
６８    ノズル（噴射手段）
７６    ノズル（噴射手段）
７８    ノズル（噴射手段）
【図１】
2006167663.tif 000003
【図２】
2006167663.tif 000004
【図３】
2006167663.tif 000005
【図４】
2006167663.tif 000006